(57)【要約】 【課題】  一回の回動操作で複数の湯切り領域の小孔群を同時に開閉可能とした湯切り孔が形成された鍋を提供すること。【解決手段】  蓋体４の摘み６を中心とする対称位置に配設した所定領域には、多数の大径湯切り孔群Ｈと小径湯切り孔群ｈがそれぞれ等間隔に区画形成され、且つ蓋体４のほぼ中央外部には、各所定領域の湯切り孔群Ｈ，ｈを同時に開放又は閉鎖する遮蔽板１２ａ，１２ｂを回動する操作体が配設されている。操作体７を回動操作すると、これに連動して遮蔽板１２ａ，１２ｂが回動して、各所定領域の湯切り孔群Ｈ，ｈを同時に開放又は閉鎖することができる。【選択図】  図３
2005218483.tif 000002
【特許請求の範囲】
【請求項１】
上面が開口し外側面に取手が設けられた鍋本体と、この鍋本体の上面に着脱自在に装着されて前記開口を閉塞する蓋体とから成り、該蓋体に湯切り孔が形成された鍋であって、前記蓋体の２箇所以上の所定領域にはそれぞれ複数の湯切り孔から成る孔群が形成され、かつ蓋体のほぼ中央外部に、前記各所定領域の湯切り孔群を同時に開放又は閉鎖する回転翼体を回動する操作体を配したことを特徴とする湯切り孔が形成された鍋。
【請求項２】
前記所定領域毎に湯切り孔径が異なる請求項１に記載の湯切り孔が形成された鍋。
【請求項３】
前記操作体は蓋体に設けられている摘みの下方に配設されている請求項１または２に記載の湯切り孔が形成された鍋。
【請求項４】
前記所定領域は等間隔に区画されている請求項１ないし３のいずれかに記載の湯切り孔が形成された鍋。
【請求項５】
前記蓋体には回動方向に対する移動を拘束する手段が設けられている請求項１ないし４のいずれかに記載の湯切り孔が形成された鍋。
【発明の詳細な説明】
【技術分野】
【０００１】
本発明は、上面が開口し外側面に取手が設けられた鍋本体と、この鍋本体の上面に着脱自在に装着されて前記開口を閉塞する蓋体とから成り、該蓋体に湯切り孔が形成された鍋に関する。
【背景技術】
【０００２】
麺類や野菜等を茹でる場合、鍋本体に水を入れ水が沸騰したら野菜等を入れ、茹で具合を見計らって蓋体で鍋本体の開口を閉鎖して茹で上がりを待ち、加熱調理終了後において茹でた内容物をこぼさずに湯や汁等を排出する場合がある。このような場合には、蓋体をずらした状態で鍋本体を傾斜させて湯を排出するようにいたが、蓋体をずらしたときの開口面積が大きいと茹でた内容物が湯と一緒に流れ出てしまう恐れがあった。
【０００３】
このような事態を避けるために、蓋体に小孔群を有する湯切り領域を数カ所設け、それぞれの湯切り領域の小孔群には小孔を開閉できるシャッターが設けられた湯切り手段を有した鍋が知られている（特許文献１参照）。そしてこの鍋は、加熱調理終了後に湯や汁等を排出する場合に、シャッターにより小孔を開いて小孔群より湯を排出するので茹でた内容物が湯と共に流してしまうことは起きない。
【０００４】
【特許文献１】登録実用新案第３００６４６９号公報（段落００２３〜００２５、第６図）
【発明の開示】
【発明が解決しようとする課題】
【０００５】
しかしながら、従来のこのような湯切り手段を有する鍋は、湯を排出するために必要とする湯切り領域だけでなく、湯切り領域の小孔を空気導入孔として利用して湯の円滑排出を図っているため、他の湯切り領域の小孔も開放する必要があり、湯切り領域毎にシャッターを個別に一つ一つ操作する煩わしさがあった。加えて、シャッター操作時には蓋体が移動しないように、蓋体を押さえておかなければならず、引用文献１に記載のように、Ｌ字形状の溝等を形成して蓋体の移動拘束手段を設けない以上、片手操作は無理であった。
【０００６】
本発明は、このような状況に鑑みてなされたもので、一回の回動操作で複数の湯切り領域の小孔群を同時に開閉可能とした湯切り孔が形成された鍋を提供することを目的とする。
【課題を解決するための手段】
【０００７】
上記の目的を解決するために、本発明の請求項１に記載の湯切り孔が形成された鍋は、上面が開口し外側面に取手が設けられた鍋本体と、この鍋本体の上面に着脱自在に装着されて前記開口を閉塞する蓋体とから成り、該蓋体に湯切り孔が形成された鍋であって、前記蓋体の２箇所以上の所定領域にはそれぞれ複数の湯切り孔から成る孔群が形成され、かつ蓋体のほぼ中央外部に、前記各所定領域の湯切り孔群を同時に開放又は閉鎖する回転翼体を回動する操作体を配したことを特徴としている。
この特徴によれば、操作体を回動操作すると、これに連動して回転翼体が回動して、各所定領域の湯切り孔群を同時に開放又は閉鎖することができる。
【０００８】
本発明の請求項２に記載の湯切り孔が形成された鍋は、請求項１に記載の蓋体の湯切り孔が形成された鍋であって、前記所定領域毎に湯切り孔径が異なることを特徴としている。
この特徴によれば、例えばうどんやスパゲッティ等の調理される内容物により最適な孔を選定できる。
【０００９】
本発明の請求項３に記載の湯切り孔が形成された鍋は、請求項１または２に記載の湯切り孔が形成された鍋であって、前記操作体は蓋体に設けられている摘みの下方に配設されていることを特徴としている。
この特徴によれば、摘みを手のひらで押さえながら指で操作体を回動することで、片手で湯切り孔の開閉ができる。
【００１０】
本発明の請求項４に記載の湯切り孔が形成された鍋は、請求項１ないし３のいずれかに記載の湯切り孔が形成された鍋であって、前記所定領域は等間隔に区画されていることを特徴としている。
この特徴によれば、湯切り孔の位置を対称形に配置できるので、回動翼体の構造も対象構造体となり製作が容易である。
【００１１】
本発明の請求項５に記載の湯切り孔が形成された鍋は、請求項１ないし４のいずれかに記載の湯切り孔が形成された鍋であって、前記蓋体には回動方向に対する移動を拘束する手段が設けられていることを特徴としている。
この特徴によれば、操作体を回動するに際し、蓋体の回動が拘束されているので、蓋体を手で押さえる必要がなく、操作が楽である。
【発明を実施するための最良の形態】
【００１２】
本発明の実施例を以下に説明する。
【実施例】
【００１３】
本発明の実施例を図面に基づいて説明すると、先ず図1は本発明の実施例における鍋の全体斜視図、図２は蓋体を開放した鍋本体の斜視図、図３は鍋本体を閉塞した蓋体を上面から視た斜視図、図４は内面を上向きにした蓋体の斜視図、図５はＬ字形状溝を蓋体の内側から視た部分斜視図であり、図６はＬ字形状溝を蓋体の外側から視た部分斜視図である。
【００１４】
先ず図1には、本発明の実施例としての鍋１が示されており、この鍋１は、上面が開口し外側面に一対の取手５，５が設けられた鍋本体２と、この鍋本体２の上面に着脱自在に装着されて開口を閉塞する蓋体４とから構成されている。
【００１５】
この鍋本体２は、図２に示すように、例えばステンレス鋼板などに上部が開口する有底円筒体に形成されており外周上部には一対の耐熱被服された取手５，５が設けられ、両取手５，５に対応する鍋本体２の開口端縁２ａ近傍の内面上部には先端にフランジＦを形成した一対の係止ピン８ａ，８ｂが対向し内方に向けて突設している。
【００１６】
図１に示すように、蓋体４は、ドーム状に湾曲形成された天板の中央に平面視、楕円形状の摘み６が取付けられ、蓋体４の外周縁は断面が外方に膨出する円弧状の膨出部４ｂを形成すると共に膨出部４ｂの下方には円弧部の直径より僅か小径の垂直下方に延びる筒状スカート部４ａが鍋本体２の開口内面に挿嵌可能に形成されている。
【００１７】
図３、図４に示すように、蓋体４の天板には、麺類や野菜等を茹で終えた後に蓋体４を閉じたままの状態で鍋１を傾斜させることで湯や汁などを流出するための多数の大径湯切り孔群Ｈと小径湯切り孔群ｈをそれぞれ等間隔に区画形成した所定領域が、摘み６を中心として対称位置に配設されている。
【００１８】
これら多数の湯切り孔群Ｈ、ｈは、蓋体４の天板内面に張付けられた一対の対称構造の回転翼体となる遮蔽板１２ａ，１２ｂの回動により必要領域が開閉可能に構成されており、この遮蔽板１２ａ，１２ｂは、摘み６を蓋体４の裏面中央で連結固定する支持板９の周囲に蓋体４の裏面に密接した状態で回動可能に支持されている。  
【００１９】
遮蔽板１２ａ，１２ｂと一対の連結ピンＲにより連結した操作体７を回動操作すると、これに連動して遮蔽板１２ａ，１２ｂが回動して、各所定領域の湯切り孔群Ｈ、ｈを同時に開放又は閉鎖することができ、所定領域毎に孔径の異なる湯切り孔群Ｈ、ｈが形成されているので、例えばそばやスパゲッティ等の調理される内容物により最適な孔を選定できる。
【００２０】
詳しくは、遮蔽板１２ａ，１２ｂの中央には図示しない大径孔が形成されており、この大径孔に、支持板９の内側に突設形成した台座部が挿通して天板裏面に台座部が固定されている。これにより、遮蔽板１２ａ，１２ｂは、支持板９の台座部外周の段差部と蓋体４の天板裏面との間に挟まれて回動可能に支持される。
【００２１】
一対の連結ピンＲは、蓋体４天板の中心を挟んで両側に形成された一対の円弧孔（不図示）の範囲内、すなわち、大径湯切り孔群Ｈと小径湯切り孔群ｈが操作体７の回動操作で同時に全開または全閉できる範囲で回動できるように構成されている。
【００２２】
そして、摘み６の周囲に回転可能に支持された操作体７は、円板状ベースの上面両側に突設した一対の操作片７ａ，７ｂが摘みの下方に配設されており、摘み６を手のひらで押さえながら指で操作体７を回動することができ、片手で湯切り孔群Ｈ，ｈの開閉ができる。
【００２３】
一方、図４〜図６に示す蓋体４の筒状スカート部４ａには、蓋体４の中心を挟んで両外側面に蓋体４の回動方向に対する移動を拘束する手段として一対のＬ字形の係止溝１０ａ，１０ｂが形設されており、これら係止溝１０ａ，１０ｂは、鍋本体２の内面上部に突設した係止ピン８ａ，８ｂ（図２参照）と対応している。
【００２４】
これらのＬ字形の係止溝１０ａ，１０ｂは、筒状スカート部４ａの下端縁から形成される垂直切込み部１４ａと、この垂直切込み部１４ａに連なる同じ回転方向に向く水平切込み部１４ｂとから成り、これら係止溝１０ａ，１０ｂの内側は、筒状スカート部４ａの内側面にスポット溶接等により裏打ちされたバネ性を有するステンレス鋼板などで形成された矩形状の押え板１６によってそれぞれ被覆されている。
【００２５】
押え板１６は、係止溝１０ａ，１０ｂに対応してＬ字形の突出部１７が筒状スカート部４ａの内側に向かって突設するようにプレス成形されており、この突出部１７は、全て係止ピン８ａ，８ｂのフランジＦが内部を移動可能な幅を有している。
【００２６】
また、筒状スカート部４ａに形成されるＬ字形の係止溝１０ａ，１０ｂは、押え板１６のＬ字形突出部１７の幅より狭く、全てが係止ピン８ａ，８ｂの小径軸部Ｐが通過可能な切込み幅で形成されている。
【００２７】
次に、蓋体４の開閉操作に付き以下説明する。
【００２８】
先ず、鍋本体２の開口を蓋体４により閉塞する際は、鍋本体２の開口内に蓋体４の筒状スカート部４ａを挿入するときに、このスカート部４ａに形成された一対のＬ字形の係止溝１０ａ，１０ｂの垂直切込み部１４ａの挿入口を、鍋本体２の内面の係止ピン８ａ，８ｂに対応させて下降させる。
【００２９】
図６に示すように垂直切込み部１４ａ下端の挿入口１７ａの大きさは両係止ピン８ａ，８ｂのフランジＦを受け入れる幅を有しているので、この蓋体４の下降により、筒状スカート部４ａ上端の膨出部４ｂが鍋本体２の開口端縁２ａに当接することで、両係止ピン８ａ，８ｂは水平切込み部１４ｂの溝幅の略中間部位に位置決めされる。
【００３０】
そこで、蓋体４を上方から見て時計廻りに回転させると、水平切込み部１４ｂが係止ピン８ａ，８ｂの小径軸部Ｐに案内されて後端に突き当るまで回転方向に移動し、当接したところで蓋体４の回動が拘束される。このように、操作体７を回動するに際し、蓋体４の回動が拘束されているので、蓋体４を手で押さえる必要がなく、操作が楽である。
【００３１】
次に、麺類や野菜等を茹で終えた後に、指で操作体７を回動することで、所定領域に区画形成された多数の大径湯切り孔群Ｈまたは小径湯切り孔群ｈを選択的に開放し、蓋体４を閉じたままの状態で鍋１を傾斜させることで開放された何れかの湯切り孔群から湯や汁などを流出することができ、残りの湯切り孔から空気が導入される。
【００３２】
以上、本発明の実施例を図面により説明してきたが、具体的な構成はこれら実施例に限られるものではなく、例えば、湯切り孔群を２箇所以上の領域に設けてもよい。また、蓋体の回動拘束手段は、実施例で採用のＬ字形の係止溝に限らずＴ字形のものであってもよく、要は、操作体７の回動時に、蓋体が遮蔽板を構成する回転翼体と連れ回りしないように構成されていればよい。
【図面の簡単な説明】
【００３３】
【図１】本発明の実施例における鍋の全体斜視図である。
【図２】蓋体を開放した鍋本体の斜視図である。
【図３】鍋本体を閉塞した蓋体を上面から視た斜視図である。
【図４】内面を上向きにした蓋体の斜視図である。
【図５】Ｌ字形状溝を蓋体の内側から視た部分斜視図である。
【図６】Ｌ字形状溝を蓋体の外側から視た部分斜視図である。
【符号の説明】
【００３４】
１                      鍋
２                      鍋本体
２ａ                    開口端縁
４                      蓋体
４ａ                    筒状スカート部
４ｂ                    膨出部
５                      取手
６                      摘み
７                      操作体
８ａ，８ｂ              係止ピン
１０ａ，１０ｂ          係止溝
１２ａ，１２ｂ          遮蔽板（回転翼体）
１４ａ                  垂直切込み部
１４ｂ                  水平切込み部
１６                    押え板
１７                    凹溝
１７ａ                  挿入口
Ｆ                      フランジ
Ｈ                      大径の湯切り孔群
ｈ                      小径の湯切り孔群
Ｐ                      小径軸部
Ｒ                      連結ピン
【図１】
2005218483.tif 000003
【図２】
2005218483.tif 000004
【図３】
2005218483.tif 000005
【図４】
2005218483.tif 000006
【図５】
2005218483.tif 000007
【図６】
2005218483.tif 000008